(57)【特許請求の範囲】
【請求項１】
隣接する各トンネル(12)間に配設された緊急避難用、点検用の連絡トンネル(14)またはダム(16)内部に配設された点検用の監査廊(18)内に配設される階段(20)を構築する方法において、連絡トンネル(14)または監査廊(18)内に昇降手段(28)及び移動手段(30)が着脱自在に配設されて昇降、移動自在であり、かつ上方に開閉自在の蓋体(24)を備えた階段用型枠(22)を、連絡トンネル(14)または監査廊(18)の床面(40)との間に所定距離を隔てて配設させた後、必要に応じて蓋体(24)を開放させながら、連絡トンネル(14)または監査廊(18)の床面(40)と階段用型枠(22)との間にコンクリート(52)を打設した後、コンクリート(52)を養生硬化させ、階段用型枠(22)を脱型させ、移動手段(30)である移動レール(36)とトロリー(34)を、昇降手段(28)によって下降させ、移動レール(36)と階段用型枠(22)とを止着させて昇降手段(28)により上昇させた後、移動レール(36)をトロリー(34)に係合されて、移動レール(36)を階段用型枠(22)とともに巻揚機構(38)によって移動させることによって、連絡トンネル(14)または監査廊(18)内に階段(20)を構築することを特徴とする階段構築方法。
【請求項２】
隣接する各トンネル(12)間に配設された緊急避難用、点検用の連絡トンネル(14)またはダム(16)内部に配設された点検用の監査廊(18)内に配設される階段(20)を構築する装置において、上方に開閉自在の蓋体(24)を備えた階段用型枠(22)が、連絡トンネル(14)または監査廊(18)内に昇降、移動自在に配設されており、階段用型枠(22)を連絡トンネル(14)または監査廊(18)の床面(40)との間に所定距離を隔てて配設させた後、必要に応じて蓋体(24)を開放させながら、連絡トンネル(14)または監査廊(18)の床面(40)と階段用型枠(22)との間にコンクリート(52)を打設した後、コンクリート(52)を養生硬化させ、階段用型枠(22)を脱型させることにより、連絡トンネル(14)または監査廊(18)内に階段(20)を構築することを特徴とし、前記階段用型枠(22)には、昇降手段(28)及び移動手段(30)が着脱自在に配備され、前記移動手段(30)は、昇降手段(28)に吊設されたトロリー(34)と、該トロリー(34)に係合して移動する移動レール(36)と、該移動レール(36)を階段用型枠(22)とともに移動させる巻揚機構(38)とを備えてなる階段構築装置。
【発明の詳細な説明】
【０００１】
【発明の属する技術分野】
本発明は、隣接する各トンネル間に配設された緊急避難用、点検用の連絡トンネルまたはダム内部に配設された点検用の監査廊内に配設される階段を構築する方法および装置に関するものである。
なお、本明細書中、「打設」とは、養生硬化させていない泥状のコンクリートを型枠とトンネル内壁面（本発明においては連絡トンネルまたは監査廊の床面）との間に充填させることをいう。
【０００２】
【従来の技術】
従来、隣接する各トンネル間に配設された災害時に人々が緊急避難するため、あるいはトンネル内部を点検するための連絡トンネル内に配設される階段（図７（イ）参照）、またはダム内部に配設された内部を点検するための監査廊内に配設される階段（図７（ロ）参照）の構築は、図８に示すように、階段に対応する木製枠を現場にて製作し、この木製枠を連絡トンネルまたは監査廊の傾斜した床面に組立、配設させ、この木製枠により仕切られた各区画内にコンクリートを打設し、コンクリートの養生硬化後、各木製枠を脱型させることにより行う方法が採用されてきた。
【０００３】
また、連絡トンネルまたは監査廊の傾斜した床面に、粘性のあるコンクリートを打設するため、打設コンクリート上面も傾斜し、水平とならないことが常であり、このため打設コンクリート上面を水平に均すためのコテ仕上げ作業を作業者が強いられてきた。
【０００４】
なお、図７および図８中、１２は隣接した各トンネル、１４は連絡トンネル、１６はダム、１８は監査廊、２０は階段、４０は連絡トンネル１４または監査廊１８のコンクリート打設された床面、５２はコンクリート、６０は木製枠、６２はコンクリート供給管を示す。
【０００５】
【発明が解決しようとする課題】
従来、隣接した各トンネル間に配設された連絡トンネルまたはダム内部に配設された監査廊内に配設される階段の構築は、図８に示すように、現場にてその都度木製枠を製作し、組立、配設、脱型させるため、木製枠の製作、組立、脱型作業が非常に面倒であり、工期が大幅に遅延することが問題となっていた。
【０００６】
また、構築する階段全長に応じて木製枠の組立、脱型作業回数が左右され、階段全長が長い場合には極めて作業性が良くないことが問題となっていた。
【０００７】
また、木製枠により仕切られた各区画内に打設されるコンクリート上面は、コンクリートの有する粘性、木製枠を配設する床面の傾斜のため、傾斜し、水平とならないことが常であり、このため打設コンクリート上面を水平に均すためのコテ仕上げ作業が必要不可欠となり、熟練した作業者でもコンクリート上面を水平に均すことが困難であり、経験が浅い作業者が行う場合には常に不均一となり易く、構築する階段の質が著しく低下することが問題となっていた。
【０００８】
また、打設硬化後のコンクリートの強度、耐久性を向上させるため、振動具によりコンクリートを振動させる必要があるが、木製枠により外周が全て囲まれるため、木製枠内に打設されたコンクリートを振動具により振動させ難いことが問題となっていた。
【０００９】
本発明は、このような欠点に鑑み、連絡トンネルまたは監査廊内に配設される階段を、短期間で、高品質に構築することができる方法およびその装置を提供することを目的とするものである。
【００１０】
【課題を解決するための手段】
本発明は、隣接する各トンネル間に配設された緊急避難用、点検用の連絡トンネルまたはダム内部に配設された点検用の監査廊内に配設される階段を構築する方法および装置において、連絡トンネルまたは監査廊内に昇降、移動自在に配設され、かつ上方に開閉自在の蓋体を備えた階段用型枠を、連絡トンネルまたは監査廊の床面との間に所定距離を隔てて配設させた後、必要に応じて蓋体を開放させながら、連絡トンネルまたは監査廊の床面と階段用型枠との間にコンクリートを打設した後、コンクリートを養生硬化させ、階段用型枠を脱型させることにより、連絡トンネルまたは監査廊内に階段を構築することを特徴とするものである。
【００１１】
【発明の実施の形態】
本発明に係る階段構築装置は、図７（イ）に示す隣接した各トンネル１２間に配設された緊急避難用、検査用の連絡トンネル１４、または図７（ロ）に示すダム１６内部に配設された検査用の監査廊１８内に配設される階段２０を構築することを主目的とし、図１〜図６に示すように、以下の構成からなるものである。
【００１２】
構築する階段２０の形状に対応する階段用型枠２２の上面に開閉自在の蓋体２４が複数配設されている。
【００１３】
本例において、蓋体２４は打設コンクリートの階段用型枠２２内への打設（充填）効率を向上させるべく打設コンクリートに浮力を付与するために開放して使用され、または開放してコンクリートの打設口として使用され、あるいは打設コンクリートの打設状況を確認するために使用されるものであり、階段用型枠２２の各階段部に複数個ずつ配設されている（図１、図２および図６参照）。
【００１４】
階段用型枠２２の幅方向の両側に、連絡トンネル１４または監査廊１８内で発生する水分を排水させるための排水溝２５を構築するための排水溝用型枠２６が着脱自在に装着されている。
【００１５】
階段用型枠２２に、昇降手段２８および移動手段３０が、着脱自在にそれぞれ配備されている。
【００１６】
本例において、昇降手段２８は、連絡トンネル１４または監査廊１８の内壁面３２と階段用型枠２２との間に着脱自在に装着されたチェーンブロックである。
【００１７】
また、移動手段３０は、昇降手段２８であるチェーンブロックに吊設されたトロリー３４と、このトロリー３４に係合して移動する移動レール３６と、この移動レール３６を階段用型枠２２と共に移動させる、階段用型枠２２の移動方向の先端部位に設置された巻揚機構３８と、により構成されている。
【００１８】
さらに、詳述すると、階段用型枠２２を移動させる際、まず移動手段３０である移動レール３６とトロリー３４を、昇降手段２８であるチェーンブロックにより下降させ、次いで移動レール３６と階段用型枠２２とを止着させ、次いで昇降手段２８により上昇させた後、移動レール３６を階段用型枠２２と共に、巻揚機構３８により移動方向（上方）に移動させる。
【００１９】
なお、図中４０は連絡トンネル１４または監査廊１８のコンクリート打設された床面、４２は階段用型枠２２の床面４０への固定ボルト、４４は階段用型枠２２の調整用棒ジャッキ、４６はブラケット、４８は排水溝用型枠２６の止着具、５０は矢板、５２はコンクリートを示す。
【００２０】
本装置を使用して隣接する各トンネル１２間に配設された緊急避難用、点検用の連絡トンネル１４またはダム１６内部に配設された点検用の監査廊１８内に配設される階段２０を構築する方法を以下に詳述する。
【００２１】
まず、連絡トンネル１４または監査廊１８内の所定個所に階段用型枠２２を移動させる。
【００２２】
この際、まず移動手段３０である移動レール３６とトロリー３４を、昇降手段２８であるチェーンブロックにより下降させ、次いで移動レール３６と階段用型枠２２とを止着させ、次いで昇降手段２８により上昇させた後、移動レール３６を階段用型枠２２と共に、巻揚機構３８により移動方向に移動させる。
【００２３】
次に、階段用型枠２２を、連絡トンネル１４または監査廊１８のコンクリート打設された傾斜した床面４０との間に、構築する階段２０に対応する距離を隔てて配置させた後、この階段用型枠２２を固定ボルト４２により床面４０に固定する。
【００２４】
この際、階段用型枠２２と移動手段３０である移動レール３６との止着を解除する。
【００２５】
次に、階段用型枠２２の幅方向の両側に、排水溝用型枠２６を配設させる。
【００２６】
次に、この排水溝用型枠２６、階段用型枠２２と、連絡トンネル１４または監査廊１８の内壁面３２、床面４０と、の間を矢板５０、妻板等を介して被覆（妻止め）する。
【００２７】
また、階段用型枠２２の下側縁（図１において下側）は、既構築階段上面と重合させる。
【００２８】
この際、構築する階段２０の強度を向上させるため、階段用型枠２２と連絡トンネル１４または監査廊１８の床面４０との間に、鉄筋等の補強材（図示略）を、配設させることが望ましい。
【００２９】
次に、階段用型枠２２の上方側（図１において上側）および階段用型枠２２の蓋体２４を開放させた開口部からコンクリート５２を、階段用型枠２２と連絡トンネル１４または監査廊１８の床面４０との間全域に打設する。
【００３０】
この際、打設されるコンクリート上面が、コンクリート５２の有する粘性、床面４０の傾斜のため、傾斜し、水平とならないことが常であるが、所要個所の蓋体２４を開放させておくことにより、打設コンクリート５２に浮力を付与し、打設コンクリート５２の上面位置を図２の二点鎖線で示す傾斜位置Ｘから点線で示す水平位置Ｙまで上昇させ、構築する階段２０をより高品質（精密なもの）とすることができる。
【００３１】
また、コンクリート打設量に応じて、振動具（図示略）を、開放させた蓋体２４の開口部から挿入し、打設コンクリートを振動させ、締固めることにより、養生硬化後のコンクリート（階段）の強度、耐久性を向上させることができる。
【００３２】
次に、打設コンクリートの養生硬化後、階段用型枠２２と床面４０との固定、階段用型枠２２と排水溝用型枠２６との固定、を解除した後、両型枠２２，２６を脱型する。
【００３３】
この両型枠２２，２６の脱型により、排水溝２５を備えた階段２０が構築される。
【００３４】
次に、昇降手段２８により移動手段３０であるトロリー３４、移動レール３６を下降させ、移動レール３６と階段用型枠２２とを止着し、巻揚機構３８により階段用型枠２２を移動レール３６と共に移動させ、階段用型枠２２を次工程位置に移動させる。
【００３５】
この際、昇降手段２８であるチェーンブロックおよび移動手段３０であるトロリー３４は、階段用型枠２２の１回移動長さに対応する間隔、つまり階段用型枠２２の全長の２倍の間隔、に所定数ずつ配設させ、階段用型枠２２を移動させた後、階段用型枠２２により既階段構築個所のチェーンブロックおよびトロリー３４を順次移動させて使用することにより、チェーンブロックおよびトロリー３４の使用数を減少させ、コストを激減させることが可能となる。
【００３６】
このように、本発明の方法および装置により、従来のように現場にて木製枠を製作、組立、脱型させる必要がなく、１個の階段用型枠２２を連続使用して構築することができるため、作業性に優れ、工期を大幅に短縮することができる。
【００３７】
また、階段用型枠２２と連絡トンネル１４または監査廊１８の床面４０との間にコンクリート５２を打設する際、必要に応じて階段用型枠２２に開閉自在に配設された蓋体２４を開放させることにより、打設コンクリート５２に浮力を付与し、打設コンクリート５２の上面位置を水平位置Ｙまで確実に上昇させ、構築する階段２０をより高品質（精密なもの）とすることができる。
【００３８】
なお、本例において、連絡トンネル１４または監査廊１８は略半円形のトンネル構造体であるが、円形のものでもよく、他の形状のものでもよい。
【００３９】
また、階段用型枠２２の幅方向の両側には排水溝用型枠２６を配設させ、階段２０の構築と共に、階段２０の両側に排水溝２５を構築させるものであるが、排水溝を構築しない場合には排水溝用型枠２６を省略することは自明である。
【００４０】
また、階段用型枠２２の昇降手段２８はチェーンブロックであるが、昇降自在の機構であれば、他の機構を採用することは自由である。
【００４１】
また、階段用型枠２２の移動手段３０はトロリー３４、移動レール３６および巻揚機構３８により構成されているが、移動自在の機構であれば、他の機構を採用することは自由である。
【００４２】
また、本発明に係る方法および装置により構築される階段２０は、連絡トンネル１４または監査廊１８内に配設されるものであるが、山等の傾斜した斜面に配設される階段をも構築できることは自明である。
【００４３】
【発明の効果】
本発明に係る階段構築方法およびその装置によれば、連絡トンネルまたは監査廊内に昇降、移動自在に配設され、かつ上方に開閉自在の蓋体を備えた階段用型枠を、連絡トンネルまたは監査廊の床面との間に所定距離を隔てて配置固定させた後、必要に応じて蓋体を開放させながら、床面と階段用型枠との間にコンクリートを打設した後、コンクリートを養生硬化させ、階段用型枠を脱型させることにより、階段を構築するため、従来のように現場にて木製枠を製作、組立、脱型する必要がなく、１個の階段用型枠を連続使用して構築することができ、作業性に優れ、工期を大幅に短縮することができる。
【００４４】
また、コンクリートを打設する際、必要に応じて階段用型枠に開閉自在に配設された蓋体を開放させることにより、打設コンクリートに浮力を付与し、打設コンクリートの上面位置を水平位置まで確実に上昇させ、作業者によるコテ仕上げ作業をする必要もなく、構築する階段をより高品質（精密なもの）とすることができる。
【図面の簡単な説明】
【図１】本発明に係る階段構築装置の側面図。
【図２】図１のＡ部拡大側面図。
【図３】本発明に係る階段構築装置の正面図。
【図４】図３のＢ部拡大正面図。
【図５】階段用型枠移動時の要部拡大正面図。
【図６】階段用型枠の要部拡大平面図であり、中央から左側部分は蓋体開放状態を示し、中央から右側部分は蓋体閉塞状態を示す。
【図７】（イ）は連絡トンネルを示す正面図、（ロ）は監査廊を示す正面図。
【図８】従来の階段構築状態を示す側面図。
【符号の説明】
１２  トンネル
１４  連絡トンネル
１６  ダム
１８  監査廊
２０  階段
２２  階段用型枠
２４  蓋体
２８  昇降手段
３０  移動手段
４０  床面（連絡トンネル１４または監査廊１８の）
５２  コンクリート
【図１】
0003773734.tif 000002
【図２】
0003773734.tif 000003
【図３】
0003773734.tif 000004
【図４】
0003773734.tif 000005
【図５】
0003773734.tif 000006
【図６】
0003773734.tif 000007
【図７】
0003773734.tif 000008
【図８】
0003773734.tif 000009